(57)【要約】      （修正有）【課題】物品棚に取り付けられる表示用ラベルの視認性を高めることにより、生産性の向上を可能とする表示用具を提供する。【解決手段】第１及び第２の保持片１２，２２の間に挟持された表示用ラベルは物品棚に対して直立した姿勢となる。表示用具１は、クリップ部２と、取付部材とで構成される。クリップ部２は、一対の基体としての台座部１０及び可動部２０と、付勢部材とを有している。台座部１０は、台座部本体１１と、その台座部本体１１の先端部側に設けられた第１の保持片１２とで構成されている。台座部本体１１は、略矩形状の外観を備えており、先端部側の１辺を除く３辺に、スカート状の周縁部１１ａを備えている。可動部２０は、可動部本体２１と、その可動部本体２１の先端部側に設けられた第２の保持片２２とで構成されている。【選択図】図１
0003173119.tif 000002
【実用新案登録請求の範囲】
【請求項１】
表示用ラベルを挟持可能なクリップ部と、
物品棚に対して前記クリップ部を取り付ける取付部材と、を有し、
前記クリップ部は、前記物品棚に対して前記表示用ラベルを起立した姿勢にて保持することを特徴とする表示用具。
【請求項２】
前記クリップ部は、
回動支点を中心に回動自在に連結されて、互いの先端部が開閉可能に構成された一対の基体と、
前記基体の先端部同士を閉じる方向に付勢する付勢部材と、を有し、
前記一対の基体は、
一方の基体が当該基体の先端部に直立して設けられた第１の保持片を備え、他方の基体が前記第１の保持片と対向するように前記他方の基体の先端部に起立して設けられた第２の保持片を備えて、前記第１の保持片及び前記第２の保持片の間に前記表示用ラベルを挟持可能に構成されることを特徴とする請求項１に記載された表示用具。
【考案の詳細な説明】
【技術分野】
【０００１】
本考案は、表示用具に関するものである。
【背景技術】
【０００２】
例えば、大量の物品を取り扱う倉庫などでは、これらの物品が棚やキャビネット（戸棚）といった物品棚に収納されて管理されている。このような倉庫では、物品の出し入れや在庫管理といった観点から、どの物品がどの物品棚に収納されているか、さらには物品棚のどの位置に収納されているかを示すため、物品棚に収納される物品を識別するための識別子となるプレートやタグ等の表示用ラベルを物品棚に取り付けている。
【０００３】
例えば特許文献１には、各種物品が種類分けされて収納されている物品棚から所要の物品をピッキングするのに、作業者に指示を与えることができるピッキング表示装置が開示されている。
【先行技術文献】
【特許文献】
【０００４】
【特許文献１】特開平９−１３６７０６号公報
【考案の概要】
【考案が解決しようとする課題】
【０００５】
ところで、従来の手法では、物品棚の正面と平行に、例えば物品棚の前端に位置する水平フレームに表示用ラベルが取り付けられている。そのため、作業者が物品棚（その正面）と平行に対峙しなければ表示用ラベルを確認するができず、また、視線の角度が浅くなると表示用ラベルの視認が困難になるため、自分を中心とした一定範囲内でしか表示用ラベルを確認することができないという問題がある。このため、物品の出し入れや在庫管理の際には、物品棚に沿って移動しながら、その都度物品棚と対峙して表示用ラベルを確認しなければならず、著しく生産性を低下させるという不都合がある。
【０００６】
本考案は、このような課題に鑑みてなされたものであり、その目的は、物品棚に取り付けられる表示用ラベルの視認性を高めることにより、生産性の向上を可能とする表示用具を提供することである。
【課題を解決するための手段】
【０００７】
かかる課題を解決するために、本考案は、表示用ラベルを挟持可能なクリップ部と、物品棚に対してクリップ部を取付可能な取付部材と、を有し、クリップ部は、物品棚に対して表示用ラベルを起立した姿勢にて保持することを特徴とする表示用具を提供する。
【０００８】
ここで、本考案において、クリップ部は、回動支点を中心に回動自在に連結されて、互いの先端部が開閉可能に構成された一対の基体と、基体の先端部同士を閉じる方向に付勢する付勢部材と、を有すること好ましい。この場合、一対の基体は、一方の基体が当該基体の先端部に直立して設けられた第１の保持片を備え、他方の基体が第１の保持片と対向するように他方の基体の先端部に起立して設けられた第２の保持片を備えて、第１の保持片及び第２の保持片の間に表示用ラベルを挟持可能に構成されることが好ましい。
【考案の効果】
【０００９】
本考案によれば、物品棚に対峙せずとも、物品棚に沿って移動する状態で（自己が物品棚から横を向いた状態で）、表示用ラベルを正面側から視認することができる。これにより、物品棚に対峙して表示用ラベルを確認するとい動作をその都度行う必要がなくなるので、在庫管理や物品の出し入れを効率的に行うことができる。これにより、生産性の向上を図ることができる。
【図面の簡単な説明】
【００１０】
【図１】本実施形態にかかる表示用具を示す斜視図
【図２】図１に示す表示用具を模式的に示す三面図
【図３】表示用具によって挟持される表示用ラベルの状態を示す模式図
【考案を実施するための形態】
【００１１】
図１は、本実施形態にかかる表示用具１を示す斜視図であり、図２は、図１に示す表示用具１を模式的に示す三面図であり、（ａ）は表示用具１の正面図、（ｂ）は表示用具１の側面図及び（ｃ）は表示用具１の背面図である。本実施形態にかかる表示用具１は、物品名を記載した表示用ラベルを挟持することで物品名を表示するための用具であり、例えば、棚やキャビネットといった物品を収納する物品棚の正面（物品の出し入れをする側）の所定位置に取り付けて使用される。
【００１２】
この表示用具１は、クリップ部２と、取付部材３とで構成されている。
【００１３】
クリップ部２は、一対の基体としての台座部１０及び可動部２０と、付勢部材４０とを有している。
【００１４】
台座部１０は、台座部本体１１と、その台座部本体１１の先端部側に設けられた第１の保持片１２とで構成されており、例えば金属製の薄板を曲げ加工して形成されている。
【００１５】
台座部本体１１は、略矩形状の外観を備えており、その主要部分は平坦な面形状を備えている。また、この台座部本体１１は、先端部側の１辺を除く３辺に、台座部本体１１の一部を下方へ向けて直角に折り曲げて形成されるスカート状の周縁部１１ａを備えている。
【００１６】
第１の保持片１２は、台座部本体１１における先端部側に位置し、台座部本体１１の一部を上方へ向けて直角に折り曲げて形成されている。換言すれば、第１の保持片１２は、台座部１０の先端部に直立して設けられている。この第１の保持片１２は、高さ方向に所定の長さを備えており、後述するように、表示用ラベル５０を挟持するための長さを自由に設定することができる。また、第１の保持片１２の折り曲げ位置には、この第１の保持片１２と後述する第２の保持片１２とによって表示用ラベル５０を挟んだ際に、この表示用ラベル５０を真っ直ぐに起立させるための凹状の窪みである溝部１２ａが形成されている。
【００１７】
可動部２０は、可動部本体２１と、その可動部本体２１の先端部側に設けられた第２の保持片２２とで構成されており、例えば金属製の薄板を曲げ加工して形成されている。
【００１８】
可動部本体２１は、略矩形状の外観を備えており、その主要部分は平坦な面形状を備えている。一方、第２の保持片２２は、可動部本体２１における先端部側に位置し、可動部本体２１の一部を上方へ向けて折り曲げて形成されている。この第１の保持片１２は、図１，２に示すように、可動部２０の先端部が台座部１０の先端部に対して閉じた状態（閉状態）において、台座部１０側の第１の保持片１２と対向するように、その折り曲げ角度が調整されている。換言すれば、第２の保持片２２は、第１の保持片１２と対向するように可動部２０の先端部に起立して設けられている。
【００１９】
ここで、台座部本体１１には、各々の側部に第１の連結部１３が一体形成され、また、可動部本体２１にも、各々側部に第２の連結部２３が一体形成されている。これらの連結部１３，２３により、台座部１０及び可動部２０が回動支点３０を中心に回動自在に連結され、これにより、台座部１０及び可動部２０の先端部が開閉可能に構成されている。
【００２０】
付勢部材４０は、例えばトーションバネであり、回動支点３０をなす軸部に巻回されている。この付勢部材４０は、台座部１０及び可動部２０の先端部同士が閉じる方向に、台座部１０及び可動部２０の双方に付勢力を与えている。
【００２１】
取付部材３は、物品棚６０の正面側の所定位置、例えばフレームといった場所にクリップ部２を取り付けるものであり、例えばマグネットを用いることができる。例えば、このマグネットからなる取付部材３は、周縁部１１ａによって周囲を囲むようにして、台座部本体１１の裏面側に配置されている。
【００２２】
なお、取付部材３としては、クリップ部２を物品棚６０に取り付け可能な部材であれば何でもよく、マグネット以外にも、両面テープ、吸盤、ネジ又はボルト及びナットなどであってもよい。
【００２３】
以下、表示用具１の使用状態について説明する。この表示用具１は、物品名などを記した表示用ラベル５０を第１及び第２の保持片１２，２２で挟持した状態で物品棚６０に取り付けて使用することができる。このような表示用ラベル５０としては、合成樹脂製のプレート、画用紙、厚紙又はダンボール等の紙片や、木片、荷札といった種々のラベルを利用することができる。
【００２４】
具体的には、可動部２０の後端部側を指で押圧すると、可動部２０が回動支点３０を中心としながら台座部１０に対して回動する。この回動に伴い、可動部２０の先端部が台座部１０の先端部から開き、これとともに第１及び第２の保持片１２，２２の間も離間される。
【００２５】
この離間した第１及び第２の保持片１２，２２の間に表示用ラベル５０を挿入し、その後、可動部２０の後端部側を押圧していた力を徐々に解放する。これにより、付勢部材４０による付勢力によって、台座部１０の先端部と可動部２０の先端部とが相互に閉じる方向に、可動部２０の状態が復帰する。同様に、第２の保持片２２も第１の保持片１２に対して対向するように状態が復帰する。そして、状態が完全に復帰した際には、第１及び第２の保持片１２，２２の間に表示用ラベル５０が挟持されることとなる。
【００２６】
これらの手順を、表示用具１を物品棚６０に取り付けた状態で行う、あるいは、これらの手順の後に、表示用具１を物品棚６０に取り付ける。これにより、表示用具１は、クリップ部２に挟持された表示用ラベル５０を手がかりに、作業者が物品棚６０を検索することに寄与する。
【００２７】
このように本実施形態において、表示用具１を物品棚６０の正面側の所定位置へと取り付けた場合には、図３に示すように、クリップ部２は、物品棚６０の正面に対して表示用ラベル５０を起立した姿勢（好ましくは直立した姿勢）にて保持している。具体的には、一方の基体である台座部１０がその裏面側を物品棚６０（好ましくは物品棚６０の正面）に面して取り付けられるとともに、その先端部に直立して設けられた第１の保持片１２を備え、または、他方の基体である可動部２０が第１の保持片２２と対向するようにその可動部２０の先端部に起立して設けられた第２の保持片とを備えている。そして、第１及び第２の保持片１２，２２の間に表示用ラベル５０が挟持された場合には、この表示用ラベル５０は物品棚６０に対して直立した姿勢となる。
【００２８】
これにより、物品棚６０の正面に対峙せずとも、物品棚６０の正面に沿って移動する状態で（自己が物品棚６０の正面から横を向いた状態で）、表示用ラベル５０を正面側から視認することができる。これにより、物品棚６０の正面に対峙して表示用ラベルを確認するとい動作をその都度行う必要がなくなるので、在庫管理や物品の出し入れを効率的に行うことができる。これにより、生産性の向上を図ることができる。
【００２９】
また、物品棚に収納される物品を識別するための識別子となる表示用ラベル５０は、第１及び第２の保持片１２，２２によって挟持され得るものであれば、何でも利用することができるので、厚紙、ダンボールといった廃材を有効活用することができる。これにより、過剰な設備投資やランニングコストの増加という問題も抑制しつつ、前述の目的を効果的に達成することができる。
【００３０】
また、表示用ラベル５０を挟持する場合には、第１及び第２の保持片１２，２２のみによって挟持するのみならず、表示用ラベル５０を台座部１０に沿って折り曲げて配置することで、表示用ラベル５０を可動本体部２１の先端部と台座部本体１１の先端部とによって挟持しつつ、第１及び第２の保持片１２，２２によって併せて挟持するようにしてもよい。
【００３１】
また、本実施形態において、第１の保持片１２と台座部本体１１との接続位置（折り曲げ位置）に、凹状の窪みである溝部１２ａを形成している。この溝部１２ａの存在により、第１及び第２の保持片１２，２２のみによって表示用ラベル５０を挟持する際には、溝部１２ａに表示用ラベル５０の周縁部分が収まることにより、表示用ラベル５０が真っ直ぐに起立するように、その姿勢を有効にサポートすることができる。
【００３２】
なお、第１及び第２の保持片１２，２２によって挟持する表示用ラベル５０の厚みを考慮して、第１の保持片１２と第２の保持片２２との間の間隔を適宜設定してもよい。
【００３３】
以上、本考案の実施形態にかかる表示用具について説明したが、本考案は上述した実施形態に限定されることなく、その考案の範囲内において種々の変形が可能であることはいうまでもない。
【符号の説明】
【００３４】
１      表示用具
２      クリップ部
３      取付部材
１０      台座部
１１      台座部本体
１１ａ    周縁部
１２      第１の保持片
１３      第１の連結部
２０      可動部
２１      可動部本体
２２      第２の保持片
２３      第２の連結部
３０      回動支点
４０      付勢部材
５０      表示用ラベル
６０      物品棚
【図１】
0003173119.tif 000003
【図２】
0003173119.tif 000004
【図３】
0003173119.tif 000005